(57)【特許請求の範囲】
【請求項１】
下糸供給源からの下糸をその先端から導出しボビンケース内のボビンに供給可能な下糸供給手段と、
この下糸供給手段の先端を、当該先端から導出する下糸がボビンケースの開口部からボビンケース内に挿入されるボビンケース開口部近傍の初期作業位置とこの初期作業位置から離間し下糸巻回を行う巻回作業位置とに移動可能な下糸供給移動手段と、
前記下糸供給手段の先端が巻回作業位置に位置する巻回作業時に、前記ボビンケース内のボビンを回転させるボビン回転手段と、
前記ボビンケースの周囲を回動するように構成され、一方向側に回動したときに前記ボビンケースから導出する下糸を固定メスと協働して切断する動メス付き糸捌きと、
その動メス付き糸捌きに設けられ、巻回作業時に前記動メス付き糸捌きが他方向側に回動したときにおいて、前記下糸供給手段の先端と前記ボビンケースとの間の供給下糸に当接して当該下糸の供給経路を折り曲げ、当該ボビンケース内に供給される下糸の挿入角を、ボビンケース内にて巻回されている下糸の外周部分がボビンケース開口部端に当接することなく前記下糸の均一巻を可能とする角度に設定する下糸ガイドと、
を具備したことを特徴とする下糸巻回装置。
【請求項２】
下糸ガイドを、当該下糸ガイドが供給下糸に当接する作業位置とこの作業位置から離間した退避位置とに移動可能とする下糸ガイド移動手段を備えたことを特徴とする請求項１記載の下糸巻回装置。
【発明の詳細な説明】
【０００１】
【発明の属する技術分野】
本発明は、下糸巻回装置に関する。
【０００２】
【従来の技術】
近年、例えば特開平９−７５５７０号公報等に、ボビンへの下糸巻回作業等を自動的に行うようにした下糸巻回装置の提案がなされている。
【０００３】
このような下糸巻回装置では、図９に示されるように、空ボビンを収容したボビンケース６が下糸巻回位置に位置すると、糸巻き（下糸供給源）からの下糸を内部に配した糸供給ノズル（下糸供給手段）１６の先端１６ａが、下糸供給移動手段（不図示）によりボビンケース開口部６ａ近傍の初期作業位置Ｎ１に位置し、この時ノズル先端１６ａからは絡み付けに必要な長さの下糸が導出していると共に、上記糸供給ノズル１６にエアーが供給されて上記ノズル先端１６ａから当該エアーが吹き出されるため、導出糸がボビンケース開口部６ａから内部に案内されるようになっている。さらにこの時、ボビン回転手段（不図示）によりボビンケース内のボビン１３が回転すると共に上記エアーによりボビンケース内に渦流が形成されるため、ボビンケース内部に案内された上記下糸がボビン軸１３ｃに絡み付き、その後上記下糸供給移動手段によりノズル先端１６ａが上記初期作業位置Ｎ１から離間した巻回作業位置Ｎ２に移動して下糸巻回が行われるため、所謂均一巻が行われるようになっている。
【０００４】
【発明が解決しようとする課題】
しかしながら、上記下糸巻回装置において、上記均一巻を行うには、巻回作業位置Ｎ２を、下糸最大巻量外径に接すると共に一方のボビンケース開口部端６ｂを結ぶ直線Ｌと、ボビン軸１３ｃに接すると共に他方のボビンケース開口部端６ｃを結ぶ直線Ｋと、で規定される領域Ｊ内に設定する必要があるため、ノズル先端１６ａとボビンケース開口部６ａとの間の距離Ｑを所定に確保しようとする（特開平９−７５５７０号公報では４０ｍｍ以上）と、ノズル先端１６ａの位置が極端に限定されてしまい、設計の自由度が著しく制限されてしまうといった問題があった。
【０００５】
また、上記下糸巻回装置においては、最大巻近くまで糸がボビン軸１３ｃに巻回されてきた場合に余程奇麗な整列巻が形成されていないと、膨らんで巻かれている部分（殆どの場合ボビン軸略中央に対応する部分）が一方のボビンケース開口部端６ｂに当接し、当該当接部位において糸が引っ掛かって巻き進行方向（ボビン軸方向）に巻回糸が進めなくなって逆方向に巻かれて行きこれを繰り返すことによって片寄り巻が発生し、巻回糸がボビンケース開口部６ａから溢れ出てしまうという問題もあった。
【０００６】
ここで、このような問題を解消すべく最大巻の８０％程度で巻回を終えることも考えられるが、縫製効率が低下するので、好ましくない。
【０００７】
そこで本発明は、下糸供給手段先端の巻回作業位置の制限を少なくでき設計の自由度を向上できると共に、巻回糸がボビンケース開口部から溢れ出ることなく１００％巻きを可能とする下糸巻回装置を提供することを目的とする。
【０００８】
【課題を解決するための手段】
上記目的を達成するために、請求項１の下糸巻回装置は、下糸供給源からの下糸をその先端から導出しボビンケース内のボビンに供給可能な下糸供給手段と、この下糸供給手段の先端を、当該先端から導出する下糸がボビンケースの開口部からボビンケース内に挿入されるボビンケース開口部近傍の初期作業位置とこの初期作業位置から離間し下糸巻回を行う巻回作業位置とに移動可能な下糸供給移動手段と、前記下糸供給手段の先端が巻回作業位置に位置する巻回作業時に、前記ボビンケース内のボビンを回転させるボビン回転手段と、前記ボビンケースの周囲を回動するように構成され、一方向側に回動したときに前記ボビンケースから導出する下糸を固定メスと協働して切断する動メス付き糸捌きと、その動メス付き糸捌きに設けられ、巻回作業時に前記動メス付き糸捌きが他方向側に回動したときにおいて、前記下糸供給手段の先端と前記ボビンケースとの間の供給下糸に当接して当該下糸の供給経路を折り曲げ、当該ボビンケース内に供給される下糸の挿入角を、ボビンケース内にて巻回されている下糸の外周部分がボビンケース開口部端に当接することなく前記下糸の均一巻を可能とする角度に設定する下糸ガイドと、を具備したことを特徴としている。
【０００９】
このような請求項１における下糸巻回装置によれば、巻回作業時において、下糸ガイドが下糸供給手段の先端とボビンケースとの間の供給下糸に当接し、当該下糸ガイドによって、下糸の供給経路が折り曲げられて、ボビンケース内に供給される下糸の挿入角が、ボビンケース内にて巻回されている下糸の外周部分がボビンケース開口部端に当接しない角度に設定されるため、下糸供給手段の先端の巻回作業位置が上述した領域内に有っても無くても、巻回糸はボビンケース開口部端に当接することなく最後まで均一巻されることになる。
【００１０】
上記目的を達成するために、請求項２の下糸巻回装置は、請求項１に加えて、下糸ガイドを、当該下糸ガイドが供給下糸に当接する作業位置とこの作業位置から離間した退避位置とに移動可能とする下糸ガイド移動手段を備えたことを特徴としている。
【００１１】
このような請求項２における下糸巻回装置によれば、下糸ガイド移動手段によって、下糸ガイドが供給下糸に当接する作業位置とこの作業位置から離間した退避位置とに移動されるため、当該下糸ガイドが邪魔になることはない。
【００１４】
【発明の実施の形態】
以下、本発明の実施形態を図面に基づいて詳細に説明する。本実施形態の下糸自動供給装置は、図１に示されるように、ミシンベッド１０の下部に付設されており、下糸巻回装置２と、残糸除去装置１と、ボビン交換装置３と、を備えている。ボビン交換装置３は、固定軸４を中心として回転可能且つ固定軸４の軸線方向（紙面垂直方向）に沿って移動（前後進）可能な回動アーム５を備えていると共に、当該回動アーム５の両端にボビンケース６を把持または開放可能なボビンケース把持手段を備えており、当該ボビンケース把持手段を、下糸巻回装置２の下糸巻回位置Ｃ、残糸除去装置１の残糸除去位置Ｂ、釜位置（ボビンケース着脱位置）Ａに移動させるように構成されている。
【００１５】
すなわち、ボビン交換装置３は、ボビン交換時期（下糸残量不足等）になったら、一方のボビンケース把持手段をボビンケース着脱位置Ａに前進することによって、釜１１内のボビンケースを把持して取り出し、次いで後退、１８０°回動することによって、下糸巻回済みのボビンを収容したボビンケースを把持する他方のボビンケース把持手段をボビンケース着脱位置Ａに対向させ、次いで当該他方のボビンケース把持手段をボビンケース着脱位置Ａに前進することによって、他方のボビンケース把持手段から下糸巻回済みのボビンを収容したボビンケースを開放して釜１１に受け渡し、さらに後退、所定角度の回動を行うことによって、一方のボビンケース把持手段を、前述した各装置１、２の処理動作位置Ｂ、Ｃに移動し得るようになっている。
【００１６】
上記ボビン交換装置３としては、例えば特開平９−５６９４８号公報等に記載されているもの等を適宜採用でき、要は、ボビンケース把持手段（ボビンケース６）を必要に応じてボビンケース着脱位置Ａ、各装置１、２の処理動作位置Ｂ、Ｃに移動できるものであれば良い。また、上記ボビンケース把持手段としては、例えば特開平５−１９２４７６号公報や特開平６−３０４３７０号公報に記載されている一対の電磁石吸着ヘッドを始めとして、例えば特開平６−３０４３６９号公報に記載されているレバー爪によるもの等、適宜のものを採用することができ、要は、ボビンケース６を必要に応じて対向部材（例えば釜１１）に対して着脱できるものであれば良い。
【００１７】
上記残糸が少なくなって釜１１から取り出されたボビンケースがボビンケース把持手段に把持されて上記残糸除去位置Ｂに移動すると、残糸除去装置１によりボビン残糸が除去される。この残糸除去装置１としては、ボビンに巻かれボビンケース６から導出する（垂れる）糸を引き出す引き出し手段の糸引き出し動作によって、ボビンが回転されて、ボビンに巻回された糸が引き出されるようなものであればどのようなものであっても良く、例えば特開平８−３０９０６９号公報の残糸除去装置を始めとして、適宜のものを採用することができる。
【００１８】
上記残糸が除去されたボビンを収容したボビンケースがボビンケース把持手段に把持されて上記下糸巻回位置Ｃに移動すると、下糸巻回装置２によりボビンに下糸が巻回される。この下糸巻回装置２の基本的構成は、例えば特開平９−１５５０８９号公報等に記載のものと略同じであり、当該下糸巻回装置２は、図１に簡略化して示されるように、ボビン回転手段（ボビン駆動機構）Ｅ及び下糸供給手段（エアー案内機構）Ｇ並びに糸供給検出機構Ｆを備えている。
【００１９】
上記下糸巻回装置２のボビン回転手段Ｅは、図２及び図３に示されるように、巻取モータＭ１を駆動することにより、この回転駆動力を、モータ軸プーリ７、タイミングベルト８、巻取プーリ９を介して巻取クラッチ板１２に伝達し、この時、下糸巻回位置Ｃに位置するボビンケース把持手段に把持されているボビンケース６のその内部に収容されたボビン１３の既設の孔に対して、上記巻取クラッチ板１２に形成され上記駆動力の伝達により回転しているクラッチ爪を連結させることによって、ボビン１３に回転を与えるように構成されている。
【００２０】
また、上記下糸巻回装置２の下糸供給手段Ｇは概略、糸巻き（下糸供給源）からの下糸１４を内部に配した糸吸引器１５及び糸供給ノズル１６と、電磁弁１７の開動作により上記糸吸引器１５内の下糸供給経路にエアーを供給するエアー源と、上記糸吸引器１５を軸１８を支点として回動させることによりノズル先端１６ａを後述の各所定位置に移動させる下糸供給回動モータ（下糸供給移動手段）Ｍ２と、を備えており、予めノズル先端１６ａから絡み付けに必要な長さの下糸１４を導出しつつ、上記下糸供給回動モータＭ２の駆動により上記ノズル先端１６ａをボビンケース開口部６ａ近傍の初期作業位置Ｎ１に位置させ、この時エアーを供給してノズル先端１６ａから当該エアーを吹き出すことによって、導出糸をボビンケース開口部６ａから内部に案内し、さらにこの時、上述した巻取モータＭ１の駆動により回転するボビン１３をその内部に収容するボビンケース内に、上記エアーを吹き込んでボビンケース内に渦流を形成することによって、ボビンケース内部に案内された上記下糸１４をボビン軸１３ｃ（図７参照）に絡み付け、その後所謂均一巻を行い得るように上記下糸供給回動モータＭ２を駆動して上記ノズル先端１６ａを上記初期作業位置Ｎ１から離間した巻回作業位置Ｎ２に移動し、下糸巻回を行うように構成されている。
【００２１】
この下糸供給手段Ｇはさらに、糸切り時に、下糸供給回動モータＭ２の駆動によって、上記ノズル先端１６ａを初期作業位置Ｎ１と巻回作業位置Ｎ２との間の糸切り位置Ｎ５に移動し、後述の切断を行うことによって、ノズル先端１６ａから絡み付けに必要な長さの下糸を導出させるようになっている。
【００２２】
また、上記下糸巻回装置２の糸供給検出機構Ｆは、糸巻きと糸吸引器１５との間の下糸供給経路に配置され供給下糸１４が一巻きされた回転自在なローラを有しており、当該ローラの回転を検出することによって、下糸１４のボビン軸１３ｃへの絡み付き及びボビン１３に巻回される下糸量を検出し得るようになっている。
【００２３】
なお、上記下糸巻回装置２を、例えば特開平８−２７６０８９号公報等に記載のように、糸巻きと糸吸引器１５との間の下糸供給経路に、駆動源としてのモータ駆動により回転し糸巻き側の糸を糸供給ノズル側に繰り出し可能な繰り出しローラを設けると共に、ノズル先端１６ａから絡み付けに必要な長さの下糸１４を予め導出しない構成とし、上記繰り出しローラの回転及び上記エアーによって、下糸１４を繰り出しボビン軸１３ｃに絡み付けて巻回する構成の下糸巻回装置に代えることも勿論可能である。
【００２４】
上記下糸巻回位置２にはさらに、糸掛け及び糸切り装置が付設されている。この糸掛け及び糸切り装置は、例えば本出願人が先に出願し既に公開されている特願平７−１５０９０３号公報と同様に、下糸巻回位置Ｃに位置するボビンケース６のその周囲の所定位置に固定配置された固定メスと、正転・逆転可能な動メス付き糸捌き回動モータ４１（下糸ガイド移動手段；図６参照）の駆動によって上記ボビンケース６の周囲を回動する動メス付き糸捌き４０と、ボビンケース６の側方を回動可能に配置されたワイパと、を備えている。
【００２５】
上記動メス付き糸捌き４０は、特願平７−１５０９０３号公報と同様に、ボビン軸１３ｃを中心とする円弧状に湾曲し、糸掛け及び糸切りを行い得る構成を有している。
【００２６】
特に、本実施形態においては、上記動メス付き糸捌き４０は、下糸巻回時におけるボビンケース６内への下糸１４の挿入角を、ボビンケース内に巻回されている下糸１４の外周部分がボビンケース開口部端６ｂ（図７及び図９参照）に当接しない角度に設定する下糸ガイド機能を新たに有している。
【００２７】
すなわち、動メス付き糸捌き４０は、図４及び図５に示されるように、その先端（図４、図５及び図７における左側）に、下糸巻回時にボビンケース開口部６ａから導出する下糸１４に当接（摺接）し下糸供給経路を折り曲げることによって上記挿入角を設定し得るコの字状の下糸ガイド用切欠部４０ａを新たに有している（当該下糸ガイド用切欠部４０ａによる挿入角設定動作については後述）と共に、糸掛け時にボビン交換装置２により、ボビンケース把持手段に把持されているボビンケース６がボビンケース開放端縁６ｄ（図２参照）側に移動された時に、図７における反時計方向に回動することによって、ボビンケース開口部６ａから導出する下糸（巻回済みの下糸）１４を導き入れて捕捉するＵ字状の切欠部４０ｂを有している。
【００２８】
この切欠部４０ｂに捕捉された下糸は、その後ボビン交換装置２により上記ボビンケース６がボビンケース反開放端縁側に移動されることによって、ボビンケース開放端縁６ｄと開放端縁側のボビンフランジとの隙間に導かれ、さらに動メス付き糸捌き４０が図７における反時計方向に回動することによって、ボビンケース６のスリット溝との連設部に導かれ、その後ボビン交換装置２により上記ボビンケース６がボビンケース開放端縁６ｄ側に移動されることによって、スリット溝に導かれ、その後動メス付き糸捌き４０が図７における時計方向に回動して退避した後に、上記ワイパを回動することによって、ボビンケース６の下糸張力ばね下の下糸導出孔から導出するように下糸１４が導かれて糸掛けが完遂されるようになっている。
【００２９】
上記動メス付き糸捌き４０はまた、その後端（図４、図５及び図７における右側）に、頂点が上記Ｕ字状の切欠部４０ｂの頂点に対してボビンケース反開放端縁側にずれて形成されているＶ字状の切欠部４０ｃを備えていると共に、その上面において上記Ｖ字状の切欠部４０ｃの頂点から周面に沿う延長線上に、切断用の目玉（動メス）４０ｄを備えており、上記糸掛け動作に続く糸切り時に、該動メス付き糸捌き４０が上記退避位置よりさらに図７における時計方向に回動することによって、Ｖ字状の切欠部４０ｃがボビンケース６の下糸張力ばね下の下糸導出孔から導出する下糸１４を導き入れて捕捉し、さらに動メス付き糸捌き４０が図７における時計方向に回動することによって、当該捕捉された下糸１４が、動メス付き糸捌き４０より半径方向外方に固定配置された上記固定メスと動メス４０ｄとの間で切断されるようになっている。
【００３０】
この時、ボビンケース６の下糸張力ばね下の下糸導出孔を経て下糸張力ばね先端部から導出される下糸１４の該下糸張力ばね先端部から下糸切断点（詳しくは動メス４０ｄと固定メスとの擦り合う点）までの下糸長さが、上糸との絡み合いによる縫目形成に必要な長さ、すなわち４０ｍｍ程度となるように、ボビンケース６、ノズル先端６ａの糸切り位置Ｎ５、固定メス、下糸切断点等の各配置が決定されている。
【００３１】
なお、上記糸掛け及び糸切り時における上記動メス付き糸捌き４０の回動動作、上記ボビン交換装置２の軸線方向における移動動作及びワイパの回動動作は、基本的には、前述した特願平７−１５０９０３号公報に記載されているものと略同じである。
【００３２】
次に、上記下糸自動供給装置の制御系について図６を参照しながら説明する。制御手段を構成するＣＰＵ（中央処理装置）２２のＩ／Ｏポート２３の出力側には、上記巻取モータＭ１がドライバ２４を介して接続されていると共に、上記下糸供給回動モータＭ２がドライバ２５を介して接続され、さらに上記電磁弁１７がドライバ２９を介して接続されている。
【００３３】
ＣＰＵ２２のＩ／Ｏポート２３の出力側にはまた、上記動メス付き糸捌き回動モータ４１がドライバ３９を介して接続されている。
【００３４】
ＣＰＵ２２のＩ／Ｏポート２３の出力側にはさらにまた、上記残糸除去装置１に前述した処理動作を行わせるための駆動源がドライバ２６を介して接続されていると共に、上記ボビン交換装置３に前述した処理動作を行わせるための駆動源がドライバ２７を介して接続されている。
【００３５】
一方、ＣＰＵ２２のＩ／Ｏポート２３の入力側には、上述した絡み付け情報及び下糸巻回量情報を出力する糸供給検出機構Ｆが接続されていると共に、入出力側には、所定の入力操作を行ったり、エラー表示等を行う操作・表示パネル２８が接続されている。
【００３６】
さらにＣＰＵ２２には、上記下糸自動供給装置の制御動作手順をプログラムの形で格納するＲＯＭ３０が入力可能に接続されていると共に、データや演算結果等を記憶するＲＡＭ３１が入出力可能に接続されている。
【００３７】
次に、このように構成された下糸自動供給装置において本実施形態の特徴をなす下糸巻回装置２の下糸巻回動作について、図７を参照しながら詳細に説明する。先ず、上記動メス付き糸捌き４０は、初期状態において、図７（ａ）に示される位置、すなわちボビンケース６を把持したボビンケース把持手段が下糸巻回位置Ｃに位置した時に、当該ボビンケース６の開口部６ａを塞がない位置（退避位置；下糸の絡み付けを邪魔しない位置）Ｐ１に待機している。
【００３８】
次いで、図７（ａ）に示されるように、ボビンケース６を把持したボビンケース把持手段がボビン交換装置３により下糸巻回位置Ｃに位置すると、下糸供給回動モータＭ２を駆動し、絡み付けに必要な長さの下糸１４が予め導出しているノズル先端１６ａをボビンケース開口部６ａ近傍の初期作業位置Ｎ１に位置させる。
【００３９】
次いで、巻取モータＭ１を駆動すると共にボビン交換装置３によりボビンケース把持手段を多少前進させる（図７における紙面奥側に向かって移動させる）ことによって、前述したクラッチ爪をボビン１３の既設の孔に連結し、ボビン１３を回転させる。
【００４０】
次いで、上記電磁弁１７を開にしてエアー源からのエアーを糸吸引器１５を介して糸供給ノズル１６に供給し、上記ノズル先端１６ａから当該エアーを吹き出すことによって、導出糸をボビンケース開口部６ａから内部に案内すると共に、上記エアー及びボビン回転の協働によりボビンケース内に渦流を形成することによって、ボビンケース内部に案内された上記下糸をボビン軸１３ｃに絡み付かせる。
【００４１】
次いで、図７（ｂ）に示されるように、下糸供給回動モータＭ２を駆動し、均一巻を行い得るように、ノズル先端１６ａを上記初期作業位置Ｎ１から巻回作業位置Ｎ２に移動する。
【００４２】
特に、本実施形態では、この移動動作に伴って、動メス付き糸捌き回動モータ４１を駆動し、図７（ｃ）に示されるように、動メス付き糸捌き４０を退避位置Ｐ１から反時計方向に回動し、図７（ｄ）に示されるように、作業位置Ｐ２に位置させる。
【００４３】
この動メス付き糸捌き４０の作業位置Ｐ２への移動によって、ボビンケース開口部６ａとノズル先端１６ａとの間の下糸１４が、前述した下糸ガイド用切欠部４０ａに当接（摺接）し、ボビンケース６内部への下糸供給経路が折り曲げられて、ボビンケース６内部への下糸１４の挿入角が変化することになる。
【００４４】
ここで、上記挿入角を設定する動メス付き糸捌き４０（正確には下糸ガイド用切欠部４０ａ）の円周方向の位置Ｐ２を、下糸絡み付け直後の下糸巻き始め時に、図８に示されるように、ボビン軸１３ｃに接すると共に一方のボビンケース開口部端６ｂを結ぶ直線Ｙ１と、ボビン軸１３ｃに接すると共に他方のボビンケース開口部端６ｃを結ぶ直線Ｙ２と、で囲まれる領域内であって動メス付き糸捌き４０の回動軌跡Ｒ上とすれば、下糸絡み付け直後の下糸巻回を良好に行うことができる。
【００４５】
また、上記動メス付き糸捌き４０（正確には下糸ガイド用切欠部４０ａ）の円周方向の位置Ｐ２を、巻き終わり時に、図８に示されるように、一方のボビンケース開口部端６ｂを通り上記直線Ｙ２に平行な直線Ｙ３と、一方のボビンケース開口部端６ｂと他方のボビンケース開口部端６ｃとを結ぶ直線Ｙ４と、で囲まれる領域内であって動メス付き糸捌き４０の回動軌跡Ｒ上とすれば、１００％巻きを行うことができる。
【００４６】
すなわち、本実施形態においては、動メス付き糸捌き４０（正確には下糸ガイド用切欠部４０ａ）の円周方向の位置Ｐ２を、直線Ｙ２、Ｙ３で囲まれる領域内であって動メス付き糸捌き４０の回動軌跡Ｒ上の位置としているため、下糸絡み付け直後の下糸巻回及び１００％巻きを確実に行うことができるようになっている。
【００４７】
なお、上記円周方向の位置Ｐ２を、直線Ｙ２、Ｙ３で囲まれる領域内であって動メス付き糸捌き４０の回動軌跡Ｒ上の中心位置に配置するのが、より好ましい。また、ボビンケース６の半径をｒとした場合、上記動メス付き糸捌き４０の半径方向の位置を、ボビン軸１３ｃの中心から２ｒ以内とするのが好ましく、１．４ｒ〜１．６ｒの範囲内とすれば、より好ましい。
【００４８】
そして、このようにして１００％巻きがなされたら、前述した糸掛け、糸切り動作を行い、図７（ｅ）に示されるように、ノズル先端１６ａから絡み付けに必要な長さの下糸１４を導出した状態で次の下糸巻回指令を待ち、以下同様な動作を繰り返す。
【００４９】
このように、本実施形態においては、上記下糸ガイド用切欠部４０ａによって、ボビンケース内に供給される下糸１４の挿入角を、ボビンケース内にて巻回されている下糸１４の外周部分がボビンケース開口部端６ｂに当接しない角度に設定できるため、１００％巻きを行うことができるようになっている。
【００５０】
また、ノズル先端１６ａが、従来技術で説明した領域Ｊ（図９参照）内になくても、上記下糸ガイド用切欠部４０ａによって、ボビンケース内に供給される下糸１４の挿入角を１００％巻きを行い得る挿入角に設定できるため、ノズル先端１６ａの巻回作業位置Ｎ２の制限を少なくできるようにもなっている。
【００５１】
以上本発明者によってなされた発明を実施形態に基づき具体的に説明したが、本発明は上記実施形態に限定されるものではなく、その要旨を逸脱しない範囲で種々変形可能であるというのはいうまでもなく、例えば、上記実施形態においては、下糸ガイド用切欠部４０ａを動メス付き糸捌き４０に設けることにより、当該下糸ガイド用切欠部４０ａのみを有する下糸ガイド及び当該下糸ガイドを退避位置Ｐ１、作業位置Ｐ２に移動させるための下糸ガイド移動手段を不要とし、部品点数の低減を図るようにしているが、上記下糸ガイド及び下糸ガイド移動手段を別個に設けて、前述した動メス付き糸捌き４０、動メス付き糸捌き回動モータ４１と同様な動作をさせるようにしても良い。
【００５２】
また、上記実施形態においては、下糸ガイド用切欠部４０ａによって、ボビンケース内に供給される下糸１４の挿入角を、ボビンケース内にて巻回されている下糸１４の外周部分がボビンケース開口部端６ｂに当接しない角度に設定し得るようにしているが、下糸ガイド用切欠部４０ａを無くすと共に、上記下糸供給手段Ｇ全体を移動させる下糸供給経路移動手段を設け、巻回作業時における下糸１４の巻回（巻回量）に応じて、上記下糸供給経路移動手段によって、ノズル先端１６ａを、ボビンケース内にて巻回されている下糸１４の外周部分がボビンケース開口部端６ｂに当接しない方向に移動する、すなわちノズル先端１６ａを図８に示した直線Ｙ１から直線Ｙ４に向かって、徐々にまたはステップ毎に移動するように構成しても、上述した実施形態と同様な効果を得ることができるというのはいうまでもない。
【００５３】
【発明の効果】
以上述べたように、請求項１の下糸巻回装置は、巻回作業時において、下糸ガイドを下糸供給手段の先端とボビンケースとの間の供給下糸に当接させ、当該下糸ガイドによって、下糸の供給経路を折り曲げて、ボビンケース内に供給される下糸の挿入角を、ボビンケース内にて巻回されている下糸の外周部分がボビンケース開口部端に当接しない角度に設定し、下糸供給手段の先端の巻回作業位置が上述した領域内に有っても無くても、巻回糸がボビンケース開口部端に当接することなく最後まで均一巻され得るように構成したものであるから、下糸供給手段の先端の巻回作業位置の制限を少なくでき、設計の自由度を向上できると共に、巻回糸がボビンケース開口部から溢れ出ることなく１００％巻きができ、縫製効率を向上することが可能となる。
【００５４】
また、請求項２の下糸巻回装置は、請求項１に加えて、下糸ガイド移動手段によって、下糸ガイドを供給下糸に当接する作業位置とこの作業位置から離間した退避位置とに移動可能とし、当該下糸ガイドが邪魔にならないように構成したものであるから、上述した効果を一層高めることが可能となる。
【図面の簡単な説明】
【図１】本発明の一実施形態における下糸巻回装置を採用した下糸自動供給装置を表した概略正面図である。
【図２】同上下糸巻回装置を表した平面図である。
【図３】同上下糸巻回装置を表した正面図である。
【図４】同上下糸巻回装置に採用された下糸ガイドを表した平面図である。
【図５】同上下糸ガイドを表した正面図である。
【図６】同上実施形態における装置全体の構成を表したブロック図である。
【図７】同上下糸巻回装置の動作を表した状態説明図である。
【図８】同上下糸ガイドの配置位置を表した説明図である。
【図９】従来技術における下糸巻回装置の要部を表した説明図である。
【符号の説明】
６  ボビンケース
６ａ  ボビンケース開口部
６ｂ  ボビンケース開口部端
１３  ボビン
１４  下糸
１６ａ  下糸供給手段の先端
４０  下糸ガイド（動メス付き糸捌き）
４０ａ  下糸ガイド用切欠部
４１  下糸ガイド移動手段
Ｅ  ボビン回転手段
Ｇ  下糸供給手段
Ｍ２  下糸供給移動手段
Ｎ１  初期作業位置
Ｎ２  巻回作業位置
Ｐ１  退避位置
Ｐ２  作業位置
【図１】
0003810526.tif 000002
【図２】
0003810526.tif 000003
【図３】
0003810526.tif 000004
【図４】
0003810526.tif 000005
【図５】
0003810526.tif 000006
【図６】
0003810526.tif 000007
【図７】
0003810526.tif 000008
【図８】
0003810526.tif 000009
【図９】
0003810526.tif 000010